(57)【要約】【課題】ループ状のアンテナコイルに対向して設けられる導電板に発生する渦電流を低減するアクティブタグを提供する。【解決手段】非接触認証用のアクティブタグ１０は、基板上に設けられた平面ループ状のアンテナ１０５と、ループ内に設けられた回路１０６と、ループ外に設けられたボタン型の電池１０３及び１０４と、基板上でアンテナ１０５と交差して回路１０６と電池１０３及び４０４とを接続し、当該交差部分に貫通して穴開けされた電力供給のための導電板１０１ｃ、１０２ｃとを備える。【選択図】図１
2013114309.tif 000002
【特許請求の範囲】
【請求項１】
基板上に設けられた平面ループ状のアンテナと当該基板上で交差して、ループ内に設けられた第１回路とループ外に設けられた第２回路とを接続し、当該交差部分において貫通して穴開けされた電力供給のための導電板
を含む非接触認証用のアクティブタグ。
【請求項２】
前記導電板は、前記交差部分において、長方形状に複数の穴開けがされている
ことを特徴とする請求項１に記載のアクティブタグ。
【請求項３】
前記導電板は、前記交差部分における前記アンテナの配置方向と直交する方向に、長方形状に穴開けされている
ことを特徴とする請求項２に記載のアクティブタグ。
【請求項４】
前記導電板は、前記交差部分において、円形状、長円形状又は楕円形状に複数の穴開けがされている
ことを特徴とする請求項１に記載のアクティブタグ。
【請求項５】
前記第２回路は、電力を供給する電源を含み、当該導電板を介して、前記第１回路へ電力を供給する
ことを特徴とする請求項１に記載のアクティブタグ。
【発明の詳細な説明】
【技術分野】
【０００１】
本発明は、非接触型の認証システムにおいて用いられ、ＲＦＩＤ（無線周波数識別：Radio Frequency Identification）技術を用いて無線により認証通信を行うアクティブタグに関する。
【背景技術】
【０００２】
従来、非接触型の認証システムは、個別の認証情報を記憶する応答器としてのＲＦタグと、その認証情報を非接触で読み取る質問器としてのタグ読取装置とから構成される。
特許文献１には、非接触ＩＣタグ等に用いるアンテナモジュール用磁芯部材、アンテナモジュール及びこれらを備えた携帯情報端末が開示されている。
このアンテナモジュールは、平面内に渦巻き状に巻回されたアンテナコイルに、このアンテナコイルの平面と略平行となるように磁芯部材を挿入して構成されている。これにより、アンテナコイルのインダクタンスを大きくし、通信距離の向上を図っている。
【０００３】
このアンテナモジュールを用いて外部のリーダーライタとデータ通信を行う際には、このアンテナモジュールを備えた携帯情報端末をリーダーライタのアンテナ部に近接させる。リーダーライタのアンテナ部から発信された電磁波あるいは高周波磁界が、アンテナモジュールのアンテナコイル内を通過することで、アンテナコイルに電磁波あるいは高周波磁界の強さに応じた誘導電流が発生し、この誘導電流が携帯情報端末が備えるＩＣチップに記録された情報の読出し電圧に変換され、読み出された情報は変調され、アンテナコイルを介してリーダーライタのアンテナ部へ送信される。
【０００４】
リーダーライタのアンテナ部から発信された電磁波あるいは高周波磁界が、アンテナモジュールのアンテナコイル内を通過するときに、磁芯部材にも高周波磁界が印加され、磁束の変化に対応して磁芯部材中に渦電流が誘起される。こうして磁芯部材に生じた渦電流は、外部磁場を打ち消す方向に作用するため、アンテナコイルを流れる誘導電流の減少をもたらす。つまり、磁芯部材に発生する渦電流は、アンテナコイルを流れる電流の抵抗成分となり、ＩＣ読出し電圧を減少させたり、アンテナコイルから送信される電波の通信距離を短くする等の弊害をもたらす。
【０００５】
この問題を解決するため、高周波磁界中において、渦電流が、アンテナコイル側の磁芯部材表面であって、当該アンテナコイルのループ部分に対向する領域に集中して、発生するので、この磁芯部材の表面において、当該アンテナコイルのループ部分に対向する領域に、環状溝を形成する。これにより、発生する渦電流量が低減し、アンテナモジュールの通信距離特性が向上する。
【先行技術文献】
【特許文献】
【０００６】
【特許文献１】特開２００６−５０２６５号公報
【発明の概要】
【発明が解決しようとする課題】
【０００７】
入退室を管理する入退室管理システム等においては、電波の到達距離をより長くするため、ＲＦタグとして、内部に電池を備えたアクティブタグが用いられる。このようなアクティブタグとして、携行の便利さから、薄型カードタイプのものが要望されている。
アクティブタグにおいて、薄型を維持し、かつ、回路要素をカード内に効果的に配置するためには、アンテナのループ内に通信処理回路を配置し、ループ外に電池を配置せざるを得ない。また、この場合に、アンテナの一部分と交差して通信処理回路と電池とを接続する導電板を設けて、電池から導電板を介して通信処理回路へ電力を供給することとなる。
【０００８】
アクティブタグを上記のように構成すると、特許文献１の場合と同様に、タグ読取装置のアンテナ部から発信された電磁波が、アクティブタグが有するループ状のアンテナを通過するときに、前記アンテナと交差する導電板に渦電流が発生する。このため、発生した渦電流により、アンテナ特性が劣化するという問題がある。また、この導電板は、その抵抗が小さい方が電力の供給効率が良いので、その面積を大きくすることが望ましいが、その面積を大きくすると、導電板により多くの渦電流が発生し、発生した渦電流により、アンテナ特性が劣化するという問題がある。
【０００９】
本発明は、上記問題点を解決するため、ループ状のアンテナコイルに対向して設けられる導電板に発生する渦電流を低減することができるアクティブタグを提供することを目的とする。
【課題を解決するための手段】
【００１０】
上記目的を達成するために、本発明は、基板上に設けられた平面ループ状のアンテナと当該基板上で交差して、ループ内に設けられた第１回路とループ外に設けられた第２回路とを接続し、当該交差部分において貫通して穴開けされた電力供給のための導電板を含む非接触認証用のアクティブタグである。
ここで、前記導電板は、前記交差部分において、長方形状に複数の穴開けがされているとしてもよい。
【００１１】
ここで、前記導電板は、前記交差部分における前記アンテナの配置方向と直交する方向に、長方形状に穴開けされているとしてもよい。
ここで、前記導電板は、前記交差部分において、円形状、長円形状又は楕円形状に複数の穴開けがされているとしてもよい。
ここで、前記第２回路は、電力を供給する電源を含み、当該導電板を介して、前記第１回路へ電力を供給するとしてもよい。
【発明の効果】
【００１２】
この構成によると、平面ループ状のアンテナと交差し、第１回路と第２回路とを接続する導電板において、アンテナとの当該交差部分において貫通して穴開けされているので、貫通孔により、導電板において渦電流の発生を抑制することができる。この結果、電力の供給効率を良くするため、導電板の面積を大きくする場合であっても、アンテナ特性の劣化を防ぐことができるという優れた効果を奏する。
【図面の簡単な説明】
【００１３】
【図１】アクティブタグ１０の分解平面図である。
【図２】アクティブタグ１０の分解斜視図である。
【図３】アクティブタグ１０ａの分解平面図である。
【発明を実施するための形態】
【００１４】
１．実施の形態
本発明の一の実施の形態としての非接触型の認証システム（図示していない）について説明する。
認証システムは、個別の認証情報を記憶する応答器としてのアクティブタグ１０と、その認証情報を非接触で読み取る質問器としてのタグ読取装置（図示していない）とから構成される。
【００１５】
非接触認証用のアクティブタグ１０は、図１及び図２に示すように、底部１０７と蓋部１０８との間に、接続体１０１、１０２、ボタン型の電池１０３、１０４、平面ループ状のアンテナ１０５及び回路１０６が挟持されて構成されている。
アンテナ１０５は、絶縁被覆された導線を複数回、平面上でループ状に券回して構成されたスパイラルアンテナ（ループ状の平面コイルアンテナとも呼ぶ。）である。その両端は、それぞれ、回路１０６に接続されている。
【００１６】
回路１０６は、アクティブタグ１０に固有の認証情報を記憶し、質問器であるタグ読取装置の指示により、タグ読取装置に対して、認証情報を出力する等、応答器としての処理を行う。回路１０６は、アンテナ１０５の両端に接続され、電源端子（図示していない）及びグランド端子（図示していない）を備える。
接続体１０１は、電池１０３及び１０４の正極と回路１０６とを接続するためのステンレス鋼、銅、アルミニウム等を材料とする導体であり、端子板１０１ａ、接続板１０１ｂ、導電板１０１ｃ及び接続板１０１ｄから構成されている。
【００１７】
底部１０７には、アンテナ１０５が配置され、アンテナ１０５のループ内部において、回路１０６が配置されている。また、底部１０７に凹状に設けられた電池孔１０９には、その底面に端子板１０１ａが載置され、電池１０３及び１０４の正極が端子板１０１ａに接触する態様で、電池孔１０９に電池１０３及び１０４が収容及び保持されている。
接続板１０１ｂは、端子板１０１ａと導電板１０１ｃとを接続し、導電板１０１ｃは、アンテナ１０５との間に絶縁層を挟んで、アンテナ１０５上において橋架され、接続板１０１ｄは、導電板１０１ｃと回路１０６が有する電源端子とを接続する。
【００１８】
また、接続体１０２は、電池１０３及び１０４の負極と回路１０６とを接続するためのステンレス鋼、銅、アルミニウム等を材料とする導体であり、端子板１０２ａ、接続板１０２ｂ、導電板１０２ｃ及び接続板１０２ｄから構成されている。
端子板１０２ａが電池孔１０９に収容された電池１０３及び１０４の負極に接触し、電池孔１０９の淵間を架け渡す態様で、端子板１０２ａが設けられている。
【００１９】
接続板１０２ｂは、端子板１０２ａと導電板１０２ｃとを接続し、導電板１０２ｃは、アンテナ１０５との間に絶縁層を挟んで、アンテナ１０５上において橋架され、接続板１０２ｄは、導電板１０２ｃと回路１０６が有するグランド端子とを接続する。
導電板１０１ｃには、アンテナ１０５との交差部分において、アンテナ１０５の導線の配置方向と直交する方向に、導電板１０１ｃを貫通して、長方形状に複数の穴開けがされている。言い換えると、導電板１０１ｃは、接続板１０１ｂとの接続部を開始点として、櫛歯状に、複数の矩形帯状板に分岐する。これらの複数の矩形帯状板は、それぞれ平行し、アンテナ１０５との間に絶縁層を挟んで、アンテナ１０５と交差する態様で、アンテナ１０５上に設けられる。アンテナ１０５との交差が終了する位置において、複数の矩形帯状板は、集結して一つの接続部を形成し、当該接続部において、接続板１０１ｄと接続する。導電板１０１ｃは、電力の供給効率を良くするため、一定の面積を有する。
【００２０】
このように、導電板１０１ｃには、アンテナ１０５との交差部分において、導電板１０１ｃを貫通して、穴開けがされている。タグ読取装置のアンテナ部から発信された電磁波が、アクティブタグ１０が有するループ状のアンテナ１０５を通過するときに、これらの穴により、導電板１０１ｃにおいて渦電流の発生を抑制することができる。
また、導電板１０２ｃは、導電板１０１ｃと同様の形状を有している。導電板１０２ｃには、アンテナ１０５との交差部分において、アンテナ１０５の導線の配置方向と直交する方向に、導電板１０２ｃを貫通して、長方形状に複数の穴開けがされている。導電板１０２ｃも、導電板１０１ｃと同様に、一定の面積を有する。
【００２１】
このように、導電板１０２ｃには、アンテナ１０５との交差部分において、導電板１０２ｃを貫通して、穴開けがされている。タグ読取装置のアンテナ部から発信された電磁波が、アクティブタグ１０が有するループ状のアンテナ１０５を通過するときに、これらの穴により、導電板１０２ｃにおいて渦電流の発生を抑制することができる。
２．その他の変形例
（１）変形例としてのアクティブタグ１０ａについて、図３を用いて説明する。
【００２２】
図３に示すアクティブタグ１０ａは、アクティブタグ１０が備える導電板１０１ｃ及び１０２ｃに代えて、導電板１０１ｅ及び１０２ｅを備えている。
導電板１０１ｅにおいては、アンテナ１０５との交差部分において、複数の点がランダムに選択され、それぞれの点を中心として、ランダムに選択された直径を有する円形状に、導電板１０１ｅを貫通して、複数の穴開けがされている。また、それぞれの点を中心として、ランダムに選択された長径及び短径を有する長円形状に、導電板１０１ｅを貫通して、複数の穴開けがされているとしてもよい。また、ランダムに選択された複数の点のうちの、２点を焦点として、ランダムに選択された長径及び短径を有する楕円形状に、導電板１０１ｅを貫通して、複数の穴開けがされているとしてもよい。また、それぞれの点を重心とする多角形状に、導電板１０１ｅを貫通して、複数の穴開けがされているとしてもよい。また、その他の形状により、導電板１０１ｅを貫通して、複数の穴開けがされているとしてもよい。
【００２３】
導電板１０２ｅにおいても、導電板１０１ｅと同様に、複数の穴開けがされている。
このように、導電板１０１ｅには、アンテナ１０５との交差部分において、導電板１０１ｅを貫通して、円形状、長円形状、楕円形状、多角形状又はその他の形状に、穴開けがされているので、これらの穴により、導電板１０１ｅにおいて渦電流の発生を抑制することができる。導電板１０２ｅにおいても同様である。
【００２４】
また、導電板１０１ｅにおいては、アンテナ１０５との交差部分において、行列状に配された格子点が選択され、それぞれの点を中心として、予め定められた直径を有する円形状に、導電板１０１ｅを貫通して、複数の穴開けがされているとしてもよい。ここで、円形状に代えて、長円形状、楕円形状、多角形状又はその他の形状に、穴開けがされているとしてもよい。
【００２５】
（２）アクティブタグ１０は、電池１０３及び１０４に代えて、処理回路を備え、当該処理回路は、電力供給源としての電池を含むとしてもよい。
また、アクティブタグ１０は、電池１０３及び１０４に代えて、処理回路を備え、当該処理回路は、電力供給源としての電池に接続されているとしてもよい。
（３）上記の実施の形態及び上記の変形例を組み合わせるとしてもよい。
【００２６】
３．まとめ
本発明の一態様である非接触認証用のアクティブタグは、基板上に設けられた平面ループ状のアンテナと、前記ループ内に設けられた第１回路と、前記ループ外に設けられた第２回路と、前記基板上で前記アンテナと交差して前記第１回路と前記第２回路とを接続し、当該交差部分に貫通して穴開けされた電力供給のための導電板とを備える。
【００２７】
この態様によると、前記導電板において、当該交差部分において貫通して穴開けされているので、貫通孔により、導電板において渦電流の発生を抑制することができる。この結果、電力の供給効率を良くするため、導電板の面積を大きくする場合であっても、アンテナ特性の劣化を防ぐことができるという優れた効果を奏する。
ここで、前記導電板は、前記交差部分において、長方形状に複数の穴開けがされているとしてもよい。
【００２８】
この構成によると、長方形状の貫通孔により、渦電流が断ち切られて、アンテナ特性の劣化を防ぐことができる。
前記導電板は、前記交差部分における前記アンテナの配置方向と直交する方向に、長方形状に穴開けされているとしてもよい。
この構成によると、長方形状の貫通孔により、渦電流が断ち切られて、アンテナ特性の劣化を防ぐことができる。
【００２９】
ここで、前記導電板は、前記交差部分において、円形状、長円形状又は楕円形状に複数の穴開けがされているとしてもよい。
この構成によると、円形状、長円形状又は楕円形状の貫通孔により、渦電流が断ち切られて、アンテナ特性の劣化を防ぐことができる。
ここで、前記第２回路は、電力を供給する電源を含み、当該導電板を介して、前記第１回路へ電力を供給するとしてもよい。
【符号の説明】
【００３０】
１０、１０ａ  アクティブタグ
１０１    接続体
１０１ａ  端子板
１０１ｂ  接続板
１０１ｃ  導電板
１０１ｄ  接続板
１０１ｅ  導電板
１０２    接続体
１０２ａ  端子板
１０２ｂ  接続板
１０２ｃ  導電板
１０２ｄ  接続板
１０２ｅ  導電板
１０３、１０４    電池
１０５    アンテナ
１０６    回路
１０７    底部
１０８    蓋部
１０９    電池孔
【図１】
2013114309.tif 000003
【図２】
2013114309.tif 000004
【図３】
2013114309.tif 000005